(57)【要約】【課題】回路基板を用いた間接照明ユニットを提供すること。【解決手段】間接照明ユニット１は、所定の回路基板１０と、回路基板１０が起立した状態で維持するための起立補助体２０と、回路基板１０へ電気を供給する給電部３０と、を備えている。回路基板１０の正面側には、銅付着面部分１２と銅不着面部分１３とで植物の葉脈パターンを模した模様を描いている。回路基板１０の背面側の縁端部には合計で６個のＬＥＤ１１を実装している。【選択図】図１
2019212506.tif 000002
【特許請求の範囲】
【請求項１】
背面側に複数のＬＥＤを実装した回路基板と、
前記回路基板に電気を供給する給電部と、
を少なくとも備え、
前記回路基板の正面側に、銅を付着させた銅付着面部分と銅を付着させていない銅不着面部分とで模様を描いた間接照明ユニット。
【請求項２】
さらに、起立補助体を付加した請求項１の間接照明ユニット。
【請求項３】
前記起立補助体の内部に前記給電部を配設した請求項２の間接照明ユニット。
【発明の詳細な説明】
【技術分野】
【０００１】
本願発明は、所定の回路基板を用いた間接照明ユニットに関する。
【背景技術】
【０００２】
従来の回路基板は、装置や設備の一部に組み込まれて当該装置等の一部の機能を担うパーツとして用いられることがほとんどであった。
【０００３】
ところで、照明を兼ねた影絵ユニットに関し、透明アクリル板と白色アクリル板との間に影絵を挟んだ影絵ユニットの後方に通常市販されているＡＣ電源によって発光する板状光源を設置した極薄状の板状光源付影絵ユニットの発明が存在する（特許文献１）。
【先行技術文献】
【特許文献】
【０００４】
【特許文献１】実開平３−１２６１９８号公報
【発明の概要】
【発明が解決しようとする課題】
【０００５】
従来の回路基板あるいはその製造技術を利活用して、新たな価値を付加した回路基板を包含した製品を提供することを課題とした。
【０００６】
上述した板状光源付影絵ユニットは、影絵をアクリル板で挟む構造であるため、強度面においては構造上の限界があるものと想定する。
【０００７】
そこで、新たな価値を付加した所定の回路基板を用い、強度面にも優れた間接照明ユニットを提供することを課題とした。
【課題を解決するための手段】
【０００８】
本願発明は、上述の課題を解決するために、背面側に複数のＬＥＤを実装した回路基板と、前記回路基板に電気を供給する給電部と、を少なくとも備え、前記回路基板の正面側に、銅を付着させた銅付着面部分と銅を付着させていない銅不着面部分とで模様を描いた間接照明ユニットを提供する。
【０００９】
また、本願発明は、上述の課題を解決するために、さらに、起立補助体を付加した間接照明ユニットを提供する。
【００１０】
また、本願発明は、上述の課題を解決するために、前記起立補助体の内部に前記給電部を配設した間接照明ユニットを提供する。
【発明の効果】
【００１１】
本願発明の間接照明ユニットは、回路基板の正面側に銅不着面部分を設けているため、複数のＬＥＤを点灯した際に前記銅不着面部分から光が照らされ間接照明として利用できる。
【００１２】
また、前記ＬＥＤを点灯した際に前記銅不着面部分と銅付着面部分とで明暗があらわれるため、まるで影絵を鑑賞しているようにも楽しむことができる。さらに、前記銅付着面部分において、銅の自然経年変化による味わい、深みを時間とともに感じることもできる。
【００１３】
また、本願の間接照明ユニットは、前記ＬＥＤを点灯した際に前記銅付着面部分と前記銅不着面部分とが明暗であらわれるため影絵のようにも見える。しかしながら、前述した板状光源付影絵ユニットとは異なり、影絵をアクリル板等で挟む構造ではないため少なくとも強度面で優れているものと考える。
【００１４】
本願発明の間接照明ユニットは、さらに、起立補助体を配設しているため、机などの平坦面に載置して利用することもできる。
【００１５】
本願発明の間接照明ユニットは、起立補助体の内部に給電部（例えば、充電池）を配設しているため、当該間接照明ユニットを任意の場所に容易に移動させて利用することもできる。前述した板状光源付影絵ユニットは、ＡＣ電源のコードが届く範囲内でしか利用できなかったものと想定され、任意の場所（電源コンセントがない場所を含む。）に容易に移動をさせて利用することができるという点でも優れているものと考える。
【図面の簡単な説明】
【００１６】
【図１】図１は間接照明ユニットの構成を示す斜視図である。
【図２】図２は回路基板の背面側を示す構成図である。
【図３】図３は回路基板の正面側を示す構成図である。
【発明を実施するための形態】
【００１７】
机などの平坦面に載置して卓上用の間接照明として利用する。
【実施例１】
【００１８】
まずは、間接照明ユニットの構成について、図１から図３に従い説明する。
【００１９】
間接照明ユニット（１）は、長方形形状をした所定の回路基板（１０）と、前記回路基板の下端側に配設する直方体形状の起立補助体（２０）と、前記起立補助体の内部に配設する給電部（３０）とで構成する（図１）。
【００２０】
前記回路基板（１０）の背面側には、長手方向の縁端部に等間隔で３個ずつ、合計で６個のＬＥＤ（１１）を実装している（図２）。
【００２１】
前記回路基板（１０）の正面側には、銅を付着させた銅付着面部分（１２）と銅を付着させていない銅不着面部分（１３）とで植物の葉脈パターンを模した模様を描いている（図３）。
【００２２】
前記模様について、本実施例では植物の葉脈パターンを模した模様としているが、前記ＬＥＤ（１１）が点灯した際にその光が多く透過する（明るくあらわれる）前記銅不着面部分（１３）が一定程度の範囲で存在し間接照明として機能し得る模様であれば良く、幾何学模様や特定のキャラクターイラストをあらわした模様等であっても良い（図３）。
【００２３】
前記起立補助体（２０）について、本実施例では前記回路基板（１０）の下端側に前記回路基板の短手辺の長さと同一の直方体形状の起立補助体を設けているが、机などの平坦面に載置した際に背面側に倒れることなく起立した状態を保持し得るような構造体であれば良いものとする（図１）。
【００２４】
前記給電部（３０）について、本実施例では充電池を採用し、かつ、前記起立補助体（２０）の内部に配設しているが、前記回路基板（１０）に電気を供給し作動させるものであれば許容し得る。
【００２５】
次に、間接照明ユニットを机に載置して使用した際の作動イメージについて説明する
【００２６】
間接照明ユニット（１）を机に載置し、図示しない作動スイッチをＯＮに切りかえると、回路基板（１０）の背面側に実装したＬＥＤ（１１）が点灯する（図１及び図２）。
【００２７】
前記ＬＥＤ（１１）を点灯した際（ライトオン時）には、前記回路基板（１０）正面側の銅不着面部分（１３）から光が照らされるため、間接照明設備として利用できる（図１及び図３）。
【００２８】
また、前記回路基板（１０）正面側の銅付着面部分（１２）は暗く、前記銅不着面部分（１３）は明るくあらわれるため、その明暗で植物の葉脈パターン模様の影絵のようにも見える（図１及び図３）。
【００２９】
なお、前記ＬＥＤを消灯した際（ライトオフ時）には、前記回路基板（１０）正面側の銅不着面部分（１３）から光が照らされないため、間接照明設備としては機能しないが、周囲が一定程度の明るさであれば、植物の葉脈パターン模様のオブジェのように見える。前記植物の葉脈パターン模様を構成する銅付着面部分（１２）は、銅の自然経年変化による味わい、深みを時間とともに感じることができる。
【産業上の利用可能性】
【００３０】
本願発明の間接照明ユニットは、新たな価値を付加した意匠性に優れた回路基板を用いた間接照明設備であり、強度面や設置性、移動性に優れた間接照明ユニットであるので産業上の利用可能性を有する。
【符号の説明】
【００３１】
１          間接照明ユニット
１０        回路基板
１１        ＬＥＤ
１２        銅付着面部分
１３        銅不着面部分
２０        起立補助体
３０        給電部
【図１】
2019212506.tif 000003
【図２】
2019212506.tif 000004
【図３】
2019212506.tif 000005